(57)【要約】【課題】ＡＧＣのゲイン切替えがされた場合の伝送路特性の推定誤差を低減し、より高い精度で受信データを内挿できる受信装置を提供する。【解決手段】データと共に該データの伝送路特性を推定するための基準信号を受信する受信装置において、受信データの信号レベルを検出する平均振幅算出部１０５、平均振幅算出部１０５によって検出された信号レベルが適正受信範囲内にない場合、信号レベルを適正受信範囲内になるよう調整するゲイン設定部１０９と、ゲイン設定部１０９によって信号レベルが調整された場合、信号レベル調整タイミングの以前及び以後の少なくとも一方において受信されたスキャッタードパイロットを補正すると共に、補正されたスキャッタードパイロットを使って複数のスキャッタードパイロットが受信される間に受信された受信データの振幅を推定する伝送路特性推定部１０７を設ける。【選択図】図１
2007259032.tif 000002
【特許請求の範囲】
【請求項１】
データと共に該データの伝送路特性を推定するための基準信号を受信する受信装置であって、
受信された受信データの信号レベルを検出する信号レベル検出手段と、
前記信号レベル検出手段によって検出された信号レベルが所定のレベルの範囲内にない場合、検出された信号レベルを変換して所定のレベルの範囲内になるよう調整する信号レベル調整手段と、
前記信号レベル調整手段によって信号レベルが調整された場合、信号レベル調整の以前及び以後の少なくとも一方において受信された基準信号を補正する補正手段と、
前記基準信号補正手段によって補正された基準信号を用い、複数の基準信号が受信される間に受信された受信データの信号レベルを推定する伝送路特性推定手段と、
を備えることを特徴とする受信装置。
【請求項２】
前記信号レベル調整手段によって受信データの信号レベルがより大きくなるよう調整された場合、前記基準信号補正手段は信号レベル調整の以後に受信された基準信号が小さくなるよう補正し、前記伝送路特性推定手段は補正された基準信号と信号レベル調整の以前に受信された基準信号とを使って信号レベル調整以前に受信された受信データの信号レベルを推定することを特徴とする請求項１に記載の受信装置。
【請求項３】
前記信号レベル調整手段によって受信データの信号レベルがより大きくなるよう調整された場合、前記基準信号補正手段は信号レベル調整の以前に受信された基準信号が大きくなるよう補正し、前記伝送路特性推定手段は補正された基準信号と信号レベル調整の以後に受信された基準信号とを使って信号レベル調整以後に受信された受信データの信号レベルを推定することを特徴とする請求項１に記載の受信装置。
【請求項４】
前記信号レベル調整手段によって受信データの信号レベルがより小さくなるよう調整された場合、前記基準信号補正手段は信号レベル調整以後に受信された基準信号が大きくなるよう補正し、前記伝送路特性推定手段は補正された基準信号と信号レベル調整の以前に受信された基準信号とを使って信号レベル調整以前に受信された受信データの信号レベルを推定することを特徴とする請求項１から３のいずれか１項に記載の受信装置。
【請求項５】
前記信号レベル調整手段によって受信データの信号レベルがより小さくなるよう調整された場合、前記基準信号補正手段は信号レベル調整の以前に受信された基準信号が小さくなるよう補正し、前記伝送路特性推定手段は補正された基準信号と信号レベル調整の以後に受信された基準信号とを使って信号レベル調整以後に受信された受信データの信号レベルを推定することを特徴とする請求項１から３のいずれか１項に記載の受信装置。
【請求項６】
データと共に該データの伝送路特性を推定するための基準信号を送信する送信装置と、前記データ及び前記基準信号を受信データとして受信する受信装置とを有する通信システムであって、
前記受信装置は、
受信された受信データの信号レベルを検出する信号レベル検出手段と、
前記信号レベル検出手段によって検出された信号レベルが所定のレベルの範囲内にない場合、検出された信号レベルを変換して所定のレベルの範囲内になるよう調整する信号レベル調整手段と、
前記信号レベル調整手段によって信号レベルが調整された場合、信号レベル調整の以前及び以後の少なくとも一方において受信された基準信号を補正する補正手段と、
前記基準信号補正手段によって補正された基準信号を用い、複数の基準信号が受信される間に受信された受信データの信号レベルを推定する伝送路特性推定手段と、
を備えることを特徴とする通信システム。
【請求項７】
データと共に該データの伝送路特性を推定するための基準信号を受信する受信方法であって、
受信された受信データの信号レベルを検出する信号レベル検出ステップと、
前記信号レベル検ステップにおいて検出された信号レベルが所定のレベルの範囲内にない場合、検出された信号レベルを変換して所定のレベルの範囲内になるよう調整する信号レベル調整ステップと、
前記信号レベル調整ステップにおいて信号レベルが調整された場合、信号レベル調整の以前及び以後の少なくとも一方において受信された基準信号を補正する補正ステップと、
前記基準信号補正ステップにおいて補正された基準信号を用い、複数の基準信号が受信される間に受信された受信データの信号レベルを推定する伝送路特性推定ステップと、
を含むことを特徴とする受信方法。
【発明の詳細な説明】
【技術分野】
【０００１】
本発明は、受信装置、通信システム、受信方法に係り、特にＯＦＤＭ（直交周波数分割多重）信号を受信する受信装置、通信システム、受信方法に関する。
【背景技術】
【０００２】
現在、我国では、デジタル放送にＩＳＤＢ−Ｔ（ＩＳＤＢ：Integrated Services Digital Broadcasting）と呼ばれる規格が用いられている。ＩＳＤＢ−Ｔは、周波数分割多重方式の1つであるＯＦＤＭ（orthogonal frequency division multiplex）を使ったことによってマルチパス干渉に強いという利点を有している。
ＯＦＤＭでは、送信装置の側から送信されるデータにスキャッタードパイロットと呼ばれる既知の信号を送信する。スキャッタードパイロットが含まれるデータを受信した受信器は、受信したスキャッタードパイロットと既知のスキャッタードパイロットとの相違から送信装置から受信器へのデータ伝送状態を推定している。そして、推定の結果得られた伝送状態に基づいて受信されたデータから送信時のデータを内挿する。
【０００３】
スキャッタードパイロットを使って伝送状態を推定する技術の従来例としては、例えば、特許文献１が挙げられる。なお、本明細書では、伝送状態の推定、受信データから送信データを内挿する処理を伝送路特性の推定とも記すものとする。
また、ＯＦＤＭの受信器の多くは、ＡＧＣ（Automatic Gain Controller）と呼ばれる回路を備えている。ＡＧＣは、受信したアナログデータの例えば振幅で表される信号のレベルを変換し、信号の振幅を一定の適正受信範囲内に制限する回路である。ＡＧＣを用いた従来技術としては、特許文献２が挙げられる。
【０００４】
ＡＧＣは、受信データの振幅が適正受信範囲外にある場合、測定のゲインを切替えることによって振幅が適正受信範囲内の値を持つよう受信データを調整している。
【特許文献１】国際公開番号：Ｗ０２００３／０９８８５３号公報
【特許文献２】特開平９−１３５１３７号公報
【発明の開示】
【発明が解決しようとする課題】
【０００５】
しかしながら、ＡＧＣを使ってゲインを切替え、ゲイン切替えの前後で受信されたスキャッタードパイロットを使って伝送経路特性を推定した場合、ゲイン切替がないものよりも推定誤差が大きくなる。
安定した放送の受信や通信のためには送信データに対する受信データの推定誤差は可能な限り小さいことが望ましい。
【０００６】
本発明は、このような点に鑑みてなされたものであって、ＡＧＣのゲイン切替えがされた場合の伝送路特性の推定誤差を低減し、より高い精度で受信データを内挿できる受信装置、通信システム、受信方法を提供することを目的とする。
【課題を解決するための手段】
【０００７】
以上の課題を解決するため、本発明の受信装置は、データと共に該データの伝送路特性を推定するための基準信号を受信する受信装置であって、受信された受信データの信号レベルを検出する信号レベル検出手段と、前記信号レベル検出手段によって検出された信号レベルが所定のレベルの範囲内にない場合、検出された信号レベルを変換して所定のレベルの範囲内になるよう調整する信号レベル調整手段と、前記信号レベル調整手段によって信号レベルが調整された場合、信号レベル調整の以前及び以後の少なくとも一方において受信された基準信号を補正する補正手段と、前記基準信号補正手段によって補正された基準信号を用い、複数の基準信号が受信される間に受信された受信データの信号レベルを推定する伝送路特性推定手段と、を備えることを特徴とする。
【０００８】
このような発明によれば、受信データの信号レベルを検出し、検出された信号レベルが所定のレベルの範囲内にない場合には検出された信号レベルを変換して所定のレベルの範囲内になるよう調整することができる。このため、伝送路が変化しやすい移動式の受信装置にあっても適性に信号を受信することができる。
また、信号レベルが調整された場合、信号レベル調整の以前及び以後の少なくとも一方において受信された基準信号を補正し、補正された基準信号を使って基準が受信される間に受信された受信データの信号レベルを推定することができる。
【０００９】
したがって、本発明は、信号レベルの変換による推定値への影響を考慮していない構成よりも信号レベルの推定誤差を低減することができる。このような本発明は、ＡＧＣのゲイン切替えがされた場合の伝送路特性の推定誤差を低減し、より高い精度で受信データを内挿できる受信装置を提供することができる。
また、本発明の受信装置は、前記信号レベル調整手段によって受信データの信号レベルがより大きくなるよう調整された場合、前記基準信号補正手段は信号レベル調整の以後に受信された基準信号が小さくなるよう補正し、前記伝送路特性推定手段は補正された基準信号と信号レベル調整の以前に受信された基準信号とを使って信号レベル調整以前に受信された受信データの信号レベルを推定することを特徴とする。
【００１０】
このような発明によれば、受信データの信号レベルがより大きくなるよう調整された場合、信号レベル調整の以後に受信された信号レベルが検出された値よりも調整以前の信号レベルとの関係において実際には小さいことを考慮して基準信号を補正することができる。このため、信号レベルを調整したことによって実際の基準信号が検出された信号と相違することによって推定誤差が大きくなることを緩和することができる。
【００１１】
また、本発明の受信装置は、前記信号レベル調整手段によって受信データの信号レベルがより大きくなるよう調整された場合、前記基準信号補正手段は信号レベル調整の以前に受信された基準信号が大きくなるよう補正し、前記伝送路特性推定手段は補正された基準信号と信号レベル調整の以後に受信された基準信号とを使って信号レベル調整以後に受信された受信データの信号レベルを推定することを特徴とする。
【００１２】
このような発明によれば、受信データの信号レベルがより大きくなるよう調整された場合、信号レベル調整の以前に受信された信号レベルが検出された値よりも調整以後の信号レベルとの関係において実際には大きいことを考慮して基準信号を補正することができる。このため、信号レベルを調整したことによって実際の基準信号が検出された信号と相違することによって推定誤差が大きくなることを緩和することができる。
【００１３】
また、本発明の受信装置は、前記信号レベル調整手段によって受信データの信号レベルがより小さくなるよう調整された場合、前記基準信号補正手段は信号レベル調整以後に受信された基準信号が大きくなるよう補正し、前記伝送路特性推定手段は補正された基準信号と信号レベル調整の以前に受信された基準信号とを使って信号レベル調整以前に受信された受信データの信号レベルを推定することを特徴とする。
【００１４】
このような発明によれば、受信データの信号レベルがより小さくなるよう調整された場合、信号レベル調整の以後に受信された信号レベルが検出された値よりも調整以後の信号レベルとの関係において実際には大きいことを考慮して基準信号を補正することができる。このため、信号レベルを調整したことによって実際の基準信号が検出された信号と相違することによって推定誤差が大きくなることを緩和することができる。
【００１５】
また、本発明の受信装置は、前記信号レベル調整手段によって受信データの信号レベルがより小さくなるよう調整された場合、前記基準信号補正手段は信号レベル調整の以前に受信された基準信号が小さくなるよう補正し、前記伝送路特性推定手段は補正された基準信号と信号レベル調整の以後に受信された基準信号とを使って信号レベル調整以後に受信された受信データの信号レベルを推定することを特徴とする。
【００１６】
このような発明によれば、受信データの信号レベルがより小さくなるよう調整された場合、信号レベル調整の以前に受信された信号レベルが検出された値よりも調整以後の信号レベルとの関係において実際には小さいことを考慮して基準信号を補正することができる。このため、信号レベルを調整したことによって実際の基準信号が検出された信号と相違することによって推定誤差が大きくなることを緩和することができる。
【００１７】
また、本発明の通信システムは、データと共に該データの伝送路特性を推定するための基準信号を送信する送信装置と、前記データ及び前記基準信号を受信データとして受信する受信装置とを有する通信システムであって、前記受信装置が、受信された受信データの信号レベルを検出する信号レベル検出手段と、前記信号レベル検出手段によって検出された信号レベルが所定のレベルの範囲内にない場合、検出された信号レベルを変換して所定のレベルの範囲内になるよう調整する信号レベル調整手段と、前記信号レベル調整手段によって信号レベルが調整された場合、信号レベル調整の以前及び以後の少なくとも一方において受信された基準信号を補正する補正手段と、前記基準信号補正手段によって補正された基準信号を用い、複数の基準信号が受信される間に受信された受信データの信号レベルを推定する伝送路特性推定手段と、を備えることを特徴とする。
【００１８】
このような発明によれば、送信装置が出力した受信データの信号レベルを受信装置が検出し、検出された信号レベルが所定のレベルの範囲内にない場合には検出された信号レベルを変換して所定のレベルの範囲内になるよう調整することができる。このため、伝送路が変化しやすい移動式の受信装置にあっても適性に信号を受信することができる。
また、信号レベルが調整された場合、信号レベル調整の以前及び以後の少なくとも一方において受信された基準信号を補正し、補正された基準信号を使って基準が受信される間に受信された受信データの信号レベルを推定することができる。
【００１９】
したがって、本発明の通信システムは、信号レベルの変換による推定値への影響を考慮していない構成よりも信号レベルの推定誤差を低減することができる。このような本発明は、ＡＧＣのゲイン切替がされた場合の伝送路特性の推定誤差を低減し、より高い精度で受信データを内挿できる通信システムを提供することができる。
【００２０】
また、本発明の受信方法は、データと共に該データの伝送路特性を推定するための基準信号を受信する受信方法であって、受信された受信データの信号レベルを検出する信号レベル検出ステップと、前記信号レベル検ステップにおいて検出された信号レベルが所定のレベルの範囲内にない場合、検出された信号レベルを変換して所定のレベルの範囲内になるよう調整する信号レベル調整ステップと、前記信号レベル調整ステップにおいて信号レベルが調整された場合、信号レベル調整の以前及び以後の少なくとも一方において受信された基準信号を補正する補正ステップと、前記基準信号補正ステップにおいて補正された基準信号を用い、複数の基準信号が受信される間に受信された受信データの信号レベルを推定する伝送路特性推定ステップと、を含むことを特徴とする。
【００２１】
このような発明によれば、データと共に該データの伝送路特性を推定するための基準信号を受信し、受信データの信号レベルを検出することができる。また、検出された信号レベルが所定のレベルの範囲内にない場合、検出された信号レベルを変換して所定のレベルの範囲内になるよう調整し、信号レベルが調整された場合には信号レベル調整の以前及び以後の少なくとも一方において受信された基準信号を補正し、補正された基準信号を用いて複数の基準信号が受信される間に受信された受信データの信号レベルを推定することができる。このような本発明は、ＡＧＣのゲイン切り替がされた場合の伝送路特性の推定誤差を低減し、より高い精度で受信データを内挿できる受信方法を提供することができる。
【発明を実施するための最良の形態】
【００２２】
以下、図を参照して本発明に係る受信装置、通信システム、受信方法の一実施の形態を説明する。図１は、本実施形態の受信装置を説明するための図であって、図１（ａ）は本実施形態の受信装置のブロック図である。また、図１（ｂ）は、参考のための示した従来の準装置のブロック図である。
本実施形態の受信装置は、データと共にこのデータの伝送路特性を推定するための基準信号（スキャッタードパイロット）を受信する受信装置である。受信装置は、データ（受信データ）を受信するためのチューナ１０１、受信データをデジタル変換するＡ／Ｄ変換器（本実施形態ではＡＤＣと記す）１０２を備えている。
【００２３】
また、受信装置は、デジタル変換された受信データの一方を高速フーリエ変換（ＦＦＴ：Fast Fourier Transform)するＦＦＴ回路１０３、フーリエ変換された受信データからスキャッタードパイロットを検出するパイロット信号検出部１０６、検出されたパイロット信号に基づいて受信データの伝送路を推定する伝送路特性推定部１０７を備えている。本実施形態の受信装置は、フーリエ変換された受信データと伝送路特性推定部１０７による推定結果とを合成して歪みを補償する。受信装置は、歪み補償のための等化回路１０４を備えている。
【００２４】
また、受信装置は、デジタル変換された受信データを順次演算して振幅の平均値を算出する平均振幅算出部１０５と平均振幅値が適正受信範囲に収まるようにゲインを設定するゲイン設定部１０９を備えている。ゲイン設定部１０９は、算出した振幅の平均値が適正受信範囲に収まるようにゲイン設定値をチューナ１０１及び伝送路特性推定部１０７に出力する。チューナ１０１は、入力されたゲイン設定値に基づき受信のゲインを調整する。
また、伝送路特性推定部１０７は、入力されたゲイン設定値によってゲインの切替えタイミング及びゲインの変化量を判断し、切替えタイミングに応じてスキャッタードパイロットを補正し、伝送路特性を推定する。
【００２５】
以上述べた構成のうち、平均振幅算出部１０５は受信された受信データの信号レベルを検出する信号レベル検出手段、ゲイン設定部１０９及びチューナ１０１は検出された信号レベルが所定のレベルの範囲内にない場合、検出された信号レベルを変換して所定のレベルの範囲内になるよう調整する信号レベル調整手段として機能する。伝送路特性推定部１０７は、チューナ１０１によって信号レベルが調整された場合、信号レベル調整の以前及び以後の少なくとも一方において受信された基準信号を補正する補正手段及び補正された基準信号を用い、複数の基準信号が受信される間に受信された受信データの信号レベルを推定する伝送路特性推定手段として機能する。
【００２６】
以上述べた本実施形態の受信装置は、図１（ｂ）に示す従来のＯＦＤＭ信号の受信装置と同様の構成によって構成されている。ただし、本実施形態の受信装置は、ゲイン設定部１０９によって設定されたゲイン設定値が伝送路特性推定部１０７に入力される点と、伝送路特性推定部１０７がゲインの設定値からゲイン切替えを検出し、こを考慮してスキャッタードパイロットを補正して伝送路特性を推定する点で従来の受信装置と相違する。
【００２７】
図２（ａ）、（ｂ）は、ゲインの切替えについて説明するための図であって、（ａ）は、ゲインを調整しない場合チューナからＡＤＣ１０２に入力される受信データ２０１を示している。受信データ２０１には、スキャッタードパイロットａ’、ｂ’、ｃ’、ｄ’が含まれている。また、受信データ２０１の複数の点の振幅を振幅値ｒ１〜ｒ９と記す。振幅値ｒ１〜ｒ９は、受信データの信号レベルを示す一形態である。
【００２８】
受信装置は、スキャッタードパイロットａ’〜ｄ’を使って振幅値ｒ１〜ｒ９を推定する。推定に使われる演算方法には様々なものがある。例えば、図示したように、連続して受信されたスキャッタードパイロット同士の振幅値のピークと交わる直線（破線で示す）５０１をひく。そして、直線５０１上にスキャッタードパイロット間の受信データ２０１の振幅値があると推定することができる。
【００２９】
図２（ｂ）は、（ａ）に示した受信データ２０１の振幅値に応じてゲインを切替えた場合にＡＤＣ１０２に入力される受信データ２０１を示している。ゲインの切替えは、受信データ２０１が常に適正受信範囲ＲDAC内にあるように行われる。したがって、ゲインの切替えは、受信データ２０１が適正受信範囲ＲDAC以下になるタイミングＧ１、適正受信範囲ＲDAC以下から再び適正受信範囲ＲDACの範囲内に入るタイミングＧ２、適正受信範囲ＲDAC以上になるタイミングＧ３で実行される。
【００３０】
しかし、図２（ｂ）に示したように、ゲインが切替えられた場合にも直線５０１上に受信データ２０１の振幅のピークがあると推定した場合、振幅値ｒ１〜ｒ９と推定された振幅値との誤差が（ａ）に示したゲインの切替えがない場合よりも大きくなる。この現象は、特に振幅値ｒ１、ｒ２、ｒ５、ｒ８において顕著である。
このような振幅値の推定誤差をより小さくするため、本実施形態は、伝送路特性推定部１０７がゲイン切替えを考慮してスキャッタードパイロットを補正し、伝送路特性を推定している。
【００３１】
以下、伝送路特性推定部１０７による本実施形態の伝送路特性の推定方法について具体的に説明する。
図３（ａ）、（ｂ）、（ｃ）は、スキャッタードパイロットａ、スキャッタードパイロットｂの補正について説明するための図である。図３（ｂ）は、図３（ａ）に示した受信データ２０１のスキャッタードパイロットａ、ｂをタイミングＧ１の前後で補正する場合、タイミングＧ１以前に受信された振幅値ｒ１、ｒ２を推定する処理を示す。また、（ｃ）は、タイミングＧ１以後に受信された振幅値ｒ１、ｒ２を推定する処理を示している。
【００３２】
チューナ１０１は、タイミングＧ１でゲインを切替える。この切替えは、信号レベルが低下して受信データ２０１の振幅が適正受信範囲ＲＤＡＣの範囲外になったことによって行われる。このため、チューナ１０１は、受信データ２０１の信号レベルをより大きくなるよう調整し、受信データ２０１の振幅を適正受信範囲ＲＤＡＣの範囲内にしている。
このような場合、伝送路特性推定部１０７は、図３（ｂ）に示すように、タイミングＧ１以後に受信されたスキャッタードパイロットｂが小さくなるよう補正する。補正は、スキャッタードパイロットｂを、大きさが同じであって方向が反対のベクトルｂｄに変換することによって行われる。
【００３３】
また、伝送路特性推定部１０７は、補正の結果得られたベクトルｂｄとタイミングＧ１の以前に受信されたスキャッタードパイロットａとを使ってタイミングＧ１前に受信された振幅値ｒ１、ｒ２を推定する。推定は、ベクトルｂｄの終点とスキャッタードパイロットａの終点とを通る直線５０２上に振幅値のピークがあるとすることによって行われる。
以上の処理の結果、本実施形態は、図２（ｂ）で示した従来例よりも振幅値ｒ１、ｒ２を正確に推定することができる。この点は、図３（ａ）に示した直線５０１と振幅値ｒ１、ｒ２の相違よりも図３（ｂ）に示した直線５０２と振幅値ｒ１、ｒ２の相違が小さいことから明らかである。
【００３４】
また、チューナ１０１が受信データ２０１の信号レベルをより大きくなるよう調整した場合、伝送路特性推定部１０７は、図３（ｃ）に示すように、タイミングＧ１以前に受信されたスキャッタードパイロットａが大きくなるようベクトルａｕに補正する。ベクトルａｕへの補正は、スキャッタードパイロットａを示すベクトルと同様のベクトルａをスキャッタードパイロットａに加算することによって行われる。
【００３５】
また、伝送路特性推定部１０７は、補正されたスキャッタードパイロットａｕとタイミングＧ１の以後に受信されたスキャッタードパイロットｂとを使ってタイミングＧ１後に受信された振幅値ｒ３を推定する。推定は、補正されたスキャッタードパイロットａｕの終点とスキャッタードパイロットｂの終点とを通る直線５０１上に振幅値ｒ３のピークがあるものとすることによって行われる。
【００３６】
以上の処理の結果、本実施形態は、図２（ｂ）で示した従来例と同程度の誤差によって振幅値ｒ３を推定することができる。この点は、図２（ｂ）に示した直線５０１と振幅値ｒ３の相違と図３（ｃ）に示した直線５０１と振幅値３の相違とが同程度であることから明らかである。
【００３７】
図４（ａ）、（ｂ）は、タイミングＧ２、タイミングＧ３について振幅値を推定する方法を説明するための図である。図４では、ゲイン切替えのタイミングＧ１、Ｇ２、Ｇ３、Ｇ４を示し、タイミングＧ１の前の期間をｔ１、タイミングＧ１の後の期間をｔ２、タイミングＧ２の前の期間をｔ３、タイミングＧ２の後の期間をｔ４、タイミングＧ３の前の期間をｔ５、タイミングＧ１の後の期間をｔ６とした。
【００３８】
図４（ａ）は、タイミングの切替え後、つまり期間ｔ２、ｔ４、ｔ６の受信データ２０１の振幅値を推定する場合の処理を説明する。また、図４（ｂ）は、タイミングの切替え前、つまり期間ｔ１、ｔ３、ｔ５の受信データ２０１の振幅値を推定する場合の処理を説明する。チューナ１０１は、タイミングＧ１でゲインを高めるよう切替え、タイミングＧ２でいったん高めたゲインを再び下げる。そして、タイミングＧ３ではさらにゲインを高めて受信データ２０１を受信する。
【００３９】
図４（ａ）に示した期間ｔ２における受信データ２０１の振幅値ｒ３の推定は、図３（ｃ）を使って説明したようにして行われる。すなわち、チューナ１０１がタイミングＧ１において受信データ２０１の信号レベルがより大きくなるようゲインを調整し、伝送路特性推定部１０７はタイミングＧ１以前に受信されたスキャッタードパイロットａをベクトルａｕに補正する。さらに伝送路特性推定部１０７は、補正後のスキャッタードパイロットａであるベクトルａｕの終点とスキャッタードパイロットｂの終点とを通る直線５０３上に期間ｔ２における振幅のピークがあるものとして振幅値ｒ３を推定する。
【００４０】
また、図４（ａ）のタイミングＧ２では、チューナ１０１が受信データ２０１の信号レベルがより小さくなるようゲインを調整する。伝送路特性推定部１０７は、タイミングＧ２の以前に受信されたスキャッタードパイロットｂをベクトルｂdに変換することによって補正する。そして、補正されたスキャッタードパイロットｂを示すベクトルｂdとタイミングＧ２の以後に受信されたスキャッタードパイロットｃの終点同士を通る直線５０３上に期間ｔ４における振幅のピークがあるものとして振幅値ｒ５、ｒ６を推定する。
【００４１】
以上の処理によれば、振幅値ｒ５、ｒ６のうち特に振幅値ｒ５の推定誤差を従来の構成よりも小さくすることができる。この点は、図４（ａ）に示した直線５０１と振幅値ｒ５との距離よりも直線５０３と振幅値ｒ５の距離が小さいことから明らかである。なお、振幅値ｒ６については、直線５０１と直線５０３との距離は同程度であるとみとめられる。
【００４２】
また、図４（ａ）のタイミングＧ３では、チューナ１０１が受信データ２０１の信号レベルをさらに小さくなるようゲインを調整する。伝送路特性推定部１０７は、タイミングＧ３の以前に受信されたスキャッタードパイロットｃをベクトルｃdに変換することによって補正する。そして、補正されたスキャッタードパイロットCを示すベクトルｃdとタイミングＧ３の以後に受信されたスキャッタードパイロットｄの終点同士を通る直線５０４上に期間ｔ６における振幅のピークがあるものとして振幅値ｒ８、ｒ９を推定する。
以上の処理によれば、振幅値ｒ８についての推定誤差は大きくなるものの、振幅値ｒ９については従来と同程度の推定誤差を生じる。
【００４３】
図４（ｂ）に示した期間ｔ１における受信データ２０１の振幅値ｒ１、ｒ２の推定は、図３（ｂ）を使って説明したようにして行われる。すなわち、チューナ１０１がタイミングＧ１において受信データ２０１の信号レベルがより大きくなるようゲインを調整し、伝送路特性推定部１０７はタイミングＧ１以後に受信されたスキャッタードパイロットｂをベクトルｂｄに補正する。さらに伝送路特性推定部１０７は、補正されたスキャッタードパイロットｂを示すベクトルｂｄとスキャッタードパイロットａとを使って期間ｔ１の受信データ２０１の振幅値ｒ１、ｒ２を推定する。
【００４４】
また、図４（ｂ）のタイミングＧ２では、チューナ１０１が受信データ２０１の信号レベルがより小さくなるようゲインを調整する。伝送路特性推定部１０７は、タイミングＧ２の以前に受信されたスキャッタードパイロットｂをベクトルｂｄに変換することによって補正する。そして、補正後のスキャッタードパイロットｂを示すベクトルｂｄとタイミングＧ２の以後に受信されたスキャッタードパイロットｃの終点同士を通る直線５０３上に期間ｔ３に受信された受信データ２０１の振幅値ｒ４があるものと推定する。
以上の処理によって得られる振幅値ｒ４の推定誤差は、従来の構成で得られる振幅値ｒ４の推定誤差と実質上同程度であるとみとめられる。
【００４５】
また、図４（ｂ）のタイミングＧ３では、チューナ１０１が受信データ２０１の信号レベルをさらに小さくなるようゲインを調整する。伝送路特性推定部１０７は、タイミングＧ３の以後に受信されたスキャッタードパイロットｄをベクトルｄｕに変換することによって補正する。そして、補正後のスキャッタードパイロットｄであるベクトルｄｕとタイミングＧ３の以前に受信されたスキャッタードパイロットｃの終点同士を通る直線５０７上に期間ｔ５における振幅のピークがあるものとして振幅値ｒ７を推定する。
以上の処理によって得られる振幅値ｒ７についての推定誤差は、従来と同程度である。
【００４６】
以上述べたように、本実施形態は、概の期間において、振幅値の推定誤差を従来と同程度かより低い値にすることができる。このような本実施形態は、ゲインの切替え等によって信号レベルが調整された場合、スキャッタードパイロットの補正を、補正の前後で生じた相対的なゲインの高低に基づいて行う。そして、補正されたスキャッタードパイロットを使って基準が受信データの振幅値を推定することができる。したがって、信号レベルの変換による推定値への影響を考慮していない従来の構成よりも信号レベルの推定誤差を低減することができる。
【００４７】
また、本実施形態は、ＡＧＣ機能を用い、検出された信号レベルを変換して所定のレベルの範囲内になるよう調整することを前提にしている。このような本実施形態は、伝送路が変化しやすい移動式の受信装置に適した構成といえる。
また、本実施形態は、以上述べた受信装置に送信装置を組み合わせて通信システムを構成することも可能である。通信システムの送信装置は、送信データと共にこのデータの伝送路特性を推定するためのスキャッタードパイロット等の基準信号を送信するものであればどのようなものであってもよい。図５に送信装置の一例を示す。
【００４８】
図５に示した送信装置は、ＩＳＤＢ−Ｔ信号を入力してＯＦＤＭ変調するＯＦＤＭ変調器５１０、ＯＦＤＭ変調された信号の歪みを補償する回路を含む励振器５１１を備え、励振器５１１によって周波数変換された信号をデジタル送信装置５１２に入力する。
デジタル送信装置５１２は、複数のＰＡ（増幅器）５１３、合成器５１４、ＢＰＦ（Band Pass Filter）を備えている。分配器５１５は、入力した信号を複数のＰＡ５１３に振り分ける。ＯＦＤＭ変調された信号を入力した複数のＰＡ５１３は、信号を増幅して合成器５１４に出力する。合成器５１４は、複数のＰＡ５１３から出力された信号を合成することによって大電力信号を得ることができる。
【図面の簡単な説明】
【００４９】
【図１】本発明の一実施形態の受信装置を説明するための図である。
【図２】本発明の一実施形態のゲインの切替えについて説明するための図であって、（ａ）は、ゲインを調整しない場合の受信データ２０１を示し、（ｂ）は、ゲインを調整した場合の受信データを示す。
【図３】本発明の一実施形態のスキャッタードパイロットの補正について説明するための図である。
【図４】図３に示したタイミングＧ２、タイミングＧ３について振幅値を推定する方法を説明するための図である。
【図５】本発明の一実施形態の通信システムに適用可能な送信装置を例示した図である。
【符号の説明】
【００５０】
１０１  チューナ、１０３  ＦＦＴ回路、１０４  等化回路、１０５  平均振幅算出部、
１０６  パイロット信号検出部、１０７  伝送路特性推定部、５１０  変調器、５１１         励振器、５１２  デジタル送信装置、５１４  合成器、５１５  分配器
【図１】
2007259032.tif 000003
【図２】
2007259032.tif 000004
【図３】
2007259032.tif 000005
【図４】
2007259032.tif 000006
【図５】
2007259032.tif 000007